(57)【要約】【課題】呼び出し音を用いた広告サービスを提供することができる装置及びその方法を提供する。【解決手段】通信事業者サーバーにおいて呼び出し音を用いた広告サービスを提供する方法であって、発呼者端末から通話要請信号を受信するステップと、広告データベースから広告メッセージを抽出するステップと、前記広告メッセージを前記発呼者端末に伝送するステップと、発呼者端末と着呼者端末との間での通話が開始すれば、前記広告メッセージの伝送を中断するステップと、発呼者端末と着呼者端末との間での通話が終了すれば、前記広告メッセージに相応する広告関連データを抽出するステップ、及び抽出された前記広告関連データを前記発呼者端末に伝送するステップと、を含む。
2006510316.tif 000002
【特許請求の範囲】
【請求項１】
通信事業者サーバーにおいて呼び出し音を用いた広告サービスを提供する方法であって、
発呼者端末から通話要請信号を受信するステップと；
広告データベースから広告メッセージを抽出するステップと；
前記広告メッセージを前記発呼者端末に伝送するステップと；
発呼者端末と着呼者端末との間での通話が開始すれば、前記広告メッセージの伝送を中断するステップと；
発呼者端末と着呼者端末との間での通話が終了すれば、前記広告メッセージに相応する  広告関連データを抽出するステップ；及び
抽出された前記広告関連データを前記発呼者端末に伝送するステップと；
を含むことを特徴とする呼び出し音を用いた広告サービスの提供方法。
【請求項２】
広告運営代行社サーバーにおいて呼び出し音を用いた広告サービスを提供する方法であって、
通信事業者から発呼者端末の通話要請信号を受信するステップと；
広告データベースから広告メッセージを抽出するステップと；
前記広告メッセージを前記通信事業者に伝送するステップ−前記広告メッセージは通信事業者を介して前記発呼者端末に伝送される−と；
前記通信事業者から通話開始の信号を受信すれば、前記広告メッセージの伝送を中断するステップと；
前記通信事業者から通話終了の信号を受信すれば、前記広告メッセージに相応する広告関連データを抽出するステップ；及び
抽出された前記広告関連データを前記通信事業者に伝送するステップ−前記広告関連データは前記通信事業者を介して前記発呼者端末に伝送される−と；
を含むことを特徴とする呼び出し音を用いた広告サービスの提供方法。
【請求項３】
前記広告関連データは、文字データ、画像データ、写真データ、動画像、及びファイルの少なくとも１つである
ことを特徴とする請求項１または２に記載の呼び出し音を用いた広告サービスの提供方法。
【請求項４】
前記広告関連データを伝送するステップは、前記広告関連データと共に前記発呼者端末を前記広告運営代行社サーバーまたは広告主サーバーに接続するための接続情報を伝送するステップ
を含むことを特徴とする請求項３に記載の呼び出し音を用いた広告サービスの提供方法。
【請求項５】
前記広告メッセージを抽出するステップに先立って、前記通話要請信号から発呼者及び着呼者情報を抽出するステップ、及び前記発呼者及び着呼者情報を用いて発呼者または着呼者が会員であるか否かを確認するステップを行う
ことを特徴とする請求項１または２に記載の呼び出し音を用いた広告サービスの提供方法。
【請求項６】
通話要請信号を受信するステップに先立って、広告主を登録するステップを行う
ことを特徴とする請求項１または２に記載の呼び出し音を用いた広告サービスの提供方法。
【請求項７】
前記広告主を登録するステップは、
広告主サーバーから会員加入要請信号を受信するステップと；
前記広告主サーバーに会員加入承認信号を伝送するステップ；及び
前記広告主サーバーから広告メッセージ及び広告関連データを受信し格納するステップと；
を含むことを特徴とする請求項６に記載の呼び出し音を用いた広告サービスの提供方法。
【請求項８】
前記広告メッセージ及び広告関連データを受信し格納するステップに先立って、前記広告主サーバーから広告メッセージ伝送時間帯情報を受信し格納するステップを行う
ことを特徴とする請求項７に記載の呼び出し音を用いた広告サービスの提供方法。
【請求項９】
前記広告メッセージ伝送時間帯情報を受信し格納するステップに先立って、
広告主サーバーから入札価格情報を受信するステップと；
時間帯別に広告主情報及び伝送時間帯情報を分類し格納するステップと；
前記各伝送時間帯別の最高入札価格を提示した広告主を落札者として選定するステップ；及び
前記選定された広告主サーバーに落札通報信号を伝送するステップと；
を行うことを特徴とする請求項８に記載の呼び出し音を用いた広告サービスの提供方法。
【請求項１０】
加入者端末から受信した会員加入要請信号に応じて加入者端末を会員として登録するステップ
を更に含むことを特徴とする請求項１または２に記載の呼び出し音を用いた広告サービスの提供方法。
【請求項１１】
前記加入者端末から所望する広告類型情報を入力されるステップ；及び
選択された広告類型情報を格納するステップと；
を更に含むことを特徴とする請求項１０に記載の呼び出し音を用いた広告サービスの提供方法。
【請求項１２】
会員として加入した加入者が端末を介して、または通信事業者若しくは広告運営代行社の有・無線のウェッブサイト上で個別的に随時に所望する特定の広告主の広告を申請または訂正することができるようにするステップ
を含むことを特徴とする請求項１１に記載の呼び出し音を用いた広告サービスの提供方法。
【請求項１３】
前記広告メッセージを抽出するステップは、前記加入者端末に相応する広告類型情報を抽出するステップ
を含むことを特徴とする請求項１１に記載の呼び出し音を用いた広告サービスの提供方法。
【請求項１４】
前記会員登録ステップは、
加入者端末から加入者が送信する場合、加入者が広告メッセージを受信するようにする送信広告会員要請信号を受信するステップ；及び
前記加入者端末情報を送信広告会員データベースに格納するステップと；
を含むことを特徴とする請求項１０に記載の呼び出し音を用いた広告サービスの提供方法。
【請求項１５】
前記会員登録ステップは、
発呼者が加入者端末に送信する場合、発呼者が広告メッセージを受信するようにする受信広告会員要請信号を受信するステップ；及び
前記加入者端末情報を受信広告会員データベースに格納するステップと；
を含むことを特徴とする請求項１０に記載の呼び出し音を用いた広告サービスの提供方法。
【請求項１６】
前記会員登録ステップは、
加入者端末から加入者が送信する場合に加入者が、発呼者が加入者端末に送信する場合に発呼者が広告メッセージを受信するようにする送受信広告会員要請信号を受信するステップ；及び
前記加入者端末情報を送受信広告会員データベースに格納するステップと；
を含むことを特徴とする請求項１０に記載の呼び出し音を用いた広告サービスの提供方法。
【請求項１７】
前記広告メッセージを抽出するステップは、
発呼者端末の現在地を抽出するステップと；
前記現在地に相応する地域広告主を抽出するステップ；及び
前記地域広告主に相応する広告メッセージを抽出するステップと；
を含むことを特徴とする請求項１または２に記載の呼び出し音を用いた広告サービスの提供方法。
【請求項１８】
前記発呼者端末から購買情報要請信号を受信するステップと；
前記広告関連データに相応する購買情報を抽出するステップ；及び
前記購買情報を前記発呼者端末に伝送するステップと；
を更に含むことを特徴とする請求項１または２に記載の呼び出し音を用いた広告サービスの提供方法。
【請求項１９】
前記購買情報は、少なくとも見積り情報または画像、写真、動画像、ファイルまたはカタログ情報のいずれか
を含むことを特徴とする請求項１８に記載の呼び出し音を用いた広告サービスの提供方法。
【請求項２０】
前記広告メッセージが音楽である場合、前記購買情報は、前記音楽を含む音盤情報である
ことを特徴とする請求項１８に記載の呼び出し音を用いた広告サービスの提供方法。
【請求項２１】
前記発呼者端末から購買商品情報を含む購買要請信号を受信するステップ；及び
前記購買要請信号に基づいて前記購買商品の購買処理を行うステップと；
を含むことを特徴とする請求項１８に記載の呼び出し音を用いた広告サービスの提供方法。
【請求項２２】
前記発呼者の累積ポイントを更新し格納するステップ；及び
前記発呼者端末に前記更新された累積ポイント情報を伝送するステップと；
を更に含むことを特徴とする請求項２１に記載の呼び出し音を用いた広告サービスの提供方法。
【請求項２３】
前記発呼者端末から購買商品情報を含む購買要請信号を受信するステップ；及び
前記購買要請信号に基づいて前記購買商品の購買処理を行うステップと；
を更に含むことを特徴とする請求項１または２に記載の呼び出し音を用いた広告サービスの提供方法。
【請求項２４】
プログラムが記録されているメモリ；及び
前記メモリに接続されている前記プログラムを実行させるプロセッサと；
を備え、
前記プロセッサは、前記プログラムにより請求項１乃至２３のいずれかに記載の呼び出し音を用いた広告サービスの提供方法を実行する呼び出し音を用いた広告サービスの提供システム。
【請求項２５】
呼び出し音を用いた広告サービスの提供装置において、
通信事業者から発呼者端末の通話接続要請信号を受信する受信部と；
前記通話接続要請信号から発呼者及び着呼者情報を抽出して前記発呼者または着呼者が会員であるか否かを確認し、会員情報を管理する会員管理部と；
広告メッセージデータベースから伝送すべき広告メッセージを抽出する広告メッセージ抽出部と；
広告関連データベースから広告関連データを抽出する広告関連データ抽出部；及び
会員管理部により会員確認信号を受信した後、前記広告メッセージ抽出部で抽出された広告メッセージを通信事業者を介して前記発呼者端末に伝送し、発呼者と着呼者との間の通話が終了した時に通信事業者を介して前記発呼者端末に広告関連データを伝送する伝送部と；
を含むことを特徴とする呼び出し音を用いた広告サービスの提供装置。
【請求項２６】
購買情報データベースから購買情報を抽出する購買情報抽出部；及び
前記発呼者端末から購買商品情報を含む購買要請信号を受信された場合、それに基づいて前記購買商品の購買処理を行う購買処理部と；
を更に含むことを特徴とする請求項２５に記載の呼び出し音を用いた広告サービスの提供装置。
【請求項２７】
前記広告関連データは、文字データ、動画像、及びファイルの少なくとも１つ
を含むことを特徴とする請求項２５に記載の呼び出し音を用いた広告サービスの提供装置。
【発明の詳細な説明】
【技術分野】
【０００１】
本発明は、呼び出し音を用いた広告サービスの提供装置及びその方法に関し、より詳しくは、発呼者と着呼者との間での通話が開始されるまでの間、発呼者端末に対し広告メッセージを呼び出し音として提供し、通話が終了すれば、発呼者端末に対し広告メッセージに関連するデータを提供する呼び出し音を用いた広告サービスの提供装置及びその方法に関する。
【背景技術】
【０００２】
近年、各移動通信社は、発呼者が自分の携帯端末を用いて電話をかける時に相手が電話に出るまでの間、発呼者に対し音楽を流すメロディコールサービスを提供している。
【０００３】
このようなサービスは、現在、０１１の通信通信社では“カラーリング”、０１６の通信通信社では“ツーリング”、０１９の通信通信社では“フィーリング”というサービス名で提供しており、多くの端末加入者が所定の料金を支払って同サービスを利用している。
【０００４】
そして、このような通話が開始されるまでの間のメロディコールサービスに着目して広告を提供する方法が多く工夫されている。
【０００５】
図１は、かかる従来の呼び出し音を用いた広告サービス方法が行われる過程を示すフローチャートである。
【０００６】
図１を参照すれば、まず、発呼者が通話ボタンを押すと、発呼者端末は広告発信トーン発生装置に接続される（Ｓ１０）。広告発信トーン発生装置は、着呼者端末に対し通話接続を要請する（Ｓ２０）。広告発信トーン発生装置は、広告発信トーンを抽出し発呼者端末に広告発信トーンを伝送する（Ｓ３０）。着呼者が応答し通話が開始すれば、広告発信トーンの送出を中止する（Ｓ４０）。従来では、前記のような過程に沿って呼び出し音を用いた広告サービス方法が行われた。
【発明の開示】
【発明が解決しようとする課題】
【０００７】
しかしながら、このような従来の方法によれば、発呼者の大半は、通話開始の前に聴取した広告メッセージを通話が終われば忘れてしまう場合が多く、関心を持っていたとしても即刻的に購買要請乃至購買ステップに入れるようなサービスまでは支援していないので、広告の提供にかかる費用に比して広告の効果が劣るという問題点があった。
【０００８】
これにより、実際に広告を聴取した発呼者が広告で流された商品を購入するに至ることは殆どなく、この結果、このような広告を提供しようとする広告主もなくなり、同方法の実用化が困難であったという問題点があった。
【０００９】
また、従来のこのような広告では、ある一人の広告主の広告だけを提供したため、広告主にとってその広告の提供にかかる費用が相当の負担となっており、しかし、その負担に比しての広告の効果は広告主の希望には大きく及ばないという問題点があった。
【００１０】
従って、このような従来の呼び出し音を用いた広告サービス方法の不合理を克服し、呼び出し音を用いてより効率よく広告が提供できる呼び出し音を用いた広告サービスの提供装置及びその方法に対する要求が高まっている。
【００１１】
本発明は前記問題点を解決するためになされたものであって、その第１の目的は、通話終了後、伝送した広告メッセージに相応する文字またはこの文字に加えて写真または画像、或いは動画像付き広告メッセージなどの広告関連データを伝送することにより発呼者が広告メッセージの内容をより容易に理解し、長い間記憶できるようにする呼び出し音を用いた広告サービスの提供装置及びその方法を提供することである。
【００１２】
本発明の第２の目的は、発呼者の購買情報要請に応じた購買情報を発呼者に伝送することにより発呼者が使用する通信端末を介して購買情報が受けられるようにする呼び出し音を用いた広告サービスの提供装置及びその方法を提供することである。
【００１３】
本発明の第３の目的は、発呼者の購買要請に応じた購買処理を行うことにより発呼者が通信端末を介して商品の購買ができるようにする呼び出し音を用いた広告サービスの提供装置及びその方法を提供することである。
【００１４】
本発明の第４の目的は、時間帯別に呼び出し音の広告主または広告代行社（以下、“広告主”という）が選定できるようにすることでより様々な広告が提供できる呼び出し音を用いた広告サービスの提供装置及びその方法を提供することである。
【００１５】
本発明の第５の目的は、前記時間帯別の呼び出し音による広告主を競売を通じて選定することにより通話コールの多い時間帯には広告主事業者からより多くの広告料を支払ってもらえる呼び出し音を用いた広告サービスの提供装置及びその方法を提供することである。
【００１６】
本発明の第６の目的は、端末ユーザーが会員として加入した以降、随時に自分が持っている端末を介してまたは通信事業者若しくは通信事業者と一定の契約を結んで広告営業及び運行の代行｛広告主及び広告代行社に対する販売代行（一般販売及び競売）、時間帯別の広告編成及び運行、広告関連データの伝送、会員購買要請事項の処理、広告主の広告物の作製代行など｝を委託された事業者（以下、広告運営代行社という）が運営するウェッブサイト上で所望する広告主の広告を個別的に指定し受信することができるように配慮し、これに相応して予め約束したマイレージなどの恵沢を選択した広告主から与えられることができるようにする呼び出し音を用いた広告サービスの提供装置及びその方法を提供することである。
【課題を解決するための手段】
【００１７】
前記目的を達成するための本発明に係る第１の実施形態によれば、通信事業者において呼び出し音を用いた広告サービスを提供する方法であって、発呼者端末から通話要請信号を受信するステップと、広告データベースから広告メッセージを抽出するステップと、前記広告メッセージを前記発呼者端末に伝送するステップと、発呼者端末と着呼者端末との間での通話が開始すれば、前記広告メッセージの伝送を中断するステップと、発呼者端末と着呼者端末との間での通話が終了すれば、前記広告メッセージに相応する広告関連データを抽出するステップと、抽出された前記広告関連データを前記発呼者端末に伝送するステップ、及び購買処理及び支払いステップと、を含むことを特徴とする呼び出し音を用いた広告サービスの提供方法を提供することができる。
【００１８】
前記目的を達成するための本発明に係る第２の実施形態によれば、広告運営代行社サーバーにおいて呼び出し音を用いた広告サービスを提供する方法であって、通信事業者から発呼者端末の通話要請信号を受信するステップと、広告データベースから広告メッセージを抽出するステップと、前記広告メッセージを前記通信事業者に伝送するステップ−前記広告メッセージは通信事業者を介して前記発呼者端末に伝送される−と、前記通信事業者から通話開始の信号を受信すれば、前記広告メッセージの伝送を中断するステップと、前記通信事業者から通話終了の信号を受信すれば、前記広告メッセージに相応する広告関連データを抽出するステップ、及び抽出された前記広告関連データを前記通信事業者に伝送するステップ−前記広告関連データは前記通信事業者を介して前記加入者端末に伝送される−と、を含むことを特徴とする呼び出し音を用いた広告サービスの提供方法を提供することができる。
【００１９】
前記目的を達成するための本発明に係る第３の実施形態によれば、プログラムが記録されているメモリ、及び前記メモリに接続されている前記プログラムを実行させるプロセッサと、を備え、前記プロセッサは、前記プログラムにより請求項１乃至２３のいずれかに記載の呼び出し音を用いた広告サービスの提供方法を実行する呼び出し音を用いた広告サービスの提供システムを提供することができる。
【００２０】
前記目的を達成するための本発明に係る第４の実施形態によれば、通信事業者から発呼者端末の通話接続要請信号を受信する受信部と、前記通話接続要請信号から発呼者及び着呼者情報を抽出して前記発呼者または着呼者が会員であるか否かを確認し、会員情報を管理する会員管理部と、広告メッセージデータベースから伝送すべき広告メッセージを抽出する広告メッセージ抽出部と、広告関連データベースから広告関連データを抽出する広告関連データ抽出部、及び会員管理部により会員確認信号を受信した後、前記広告メッセージ抽出部で抽出された広告メッセージを通信事業者を介して前記発呼者端末に伝送し、発呼者と着呼者との間の通話が終了した時に通信事業者を介して前記発呼者端末に広告関連データを伝送する伝送部と、を含むことを特徴とする呼び出し音を用いた広告サービスの提供装置を提供することができる。
【発明の効果】
【００２１】
本発明によれば、通話終了後、伝送した広告メッセージに相応する文字、写真、画像、動画像、ファイルのそれぞれまたはそれらが組み合わされてなるメッセージを伝送し、これを通信端末内に格納するようにし、これを再度読み出して目視可能にすることにより発呼者が広告メッセージの内容をより容易に理解し、長い間記憶できるようにする呼び出し音を用いた広告サービスの提供装置及びその方法を提供することができる。また、発呼者の購買情報要請に応じた購買情報を発呼者に伝送することにより発呼者が通信端末を介して購買情報が受けられるようにする呼び出し音を用いた広告サービスの提供装置及びその方法を提供することができる。
【００２２】
更に、発呼者の購買要請に応じた購買処理を行うことにより発呼者が通信端末を介して商品の購買ができるようにする呼び出し音を用いた広告サービスの提供装置及びその方法を提供することができる。
【００２３】
更にまた、時間帯別に呼び出し音の広告主または広告代行社が選定できるようにすることでより様々な広告が提供できる呼び出し音を用いた広告サービスの提供装置及びその方法を提供することができる。
【００２４】
また、前記時間帯別の呼び出し音による広告主または広告代行社を一般の定価販売だけでなく競売を通じて選定することにより利用回数の多い時間帯には広告主または広告代行社からより多くの広告料を支払ってもらえる呼び出し音を用いた広告サービスの提供装置及びその方法を提供することができる。
【００２５】
更に、端末ユーザー自分が持っている端末を介してまたは通信事業者若しくは広告運営代行社のウェッブサイト上で所望する広告主の広告を個別的に指定し、これだけを受信することができるように配慮し、これに相応して予め約束したマイレージなどのその他の恵沢を選択した広告主から与えられることができるようにすることにより広告効果の極大化はもとより、ユーザーに対してより多くの恵沢が与えられる呼び出し音を用いた広告サービスの提供装置及びその方法を提供することができる。
【００２６】
しかも、端末ユーザーが会員として加入した以降、随時に自分が持っている端末を介してまたは通信事業者若しくは広告運営代行社が運営するウェッブサイト上で所望する広告主の広告を個別的に指定し受信することができるように配慮し、これに相応して予め約束したマイレージなどの恵沢を選択した広告主から与えられることができるようにする呼び出し音を用いた広告サービスの提供装置及びその方法を提供することができる。
【発明を実施するための最良の形態】
【００２７】
本発明のその他の目的、特定の長所、及び新規な特徴は、添付した図面に関連付けられる以下の好適な実施例からより明らかになるだろう。
【００２８】
以下、本発明の好適な実施例について、添付の図面に基づいて詳細に説明する。
【００２９】
図２は、本発明の第１の実施形態に係る呼び出し音を用いた広告サービスの提供システムの構成図である。図２に示すように、本発明の第１の実施形態に係る呼び出し音を用いた広告サービスの提供システムは、発呼者端末１と、通信事業者３と、着呼者端末５、及び広告主サーバー９とから構成される。
【００３０】
発呼者端末１は、移動通信網４を介して通信事業者３に接続される携帯用移動通信端末であって、一般に、ＣＤＭＡ携帯電話、ＰＣＳなどが多く使用されるが、ＰＤＡや一般の有線電話、ＥＭＳ及びＭＭＡが可能な２．５Ｇフォン、３Ｇフォンなども使用できる。発呼者端末１は、発呼者または着呼者が通信事業者３において提供する呼び出し音を用いた広告サービスに加入した加入者である場合、着呼者端末５と通話が開始するまでの間、通信事業者から広告メッセージを提供される。
【００３１】
通信事業者３は、発呼者端末１と着呼者端末５との間の通話を可能にする機能の他、発呼者が電話をかけた時に着呼者が電話に出るまでの間、呼び出し音の代わりに広告メッセージを流す機能を行う。通信事業者３は、移動通信事業者または有線通信事業者であってもよく、移動通信事業者である場合、各移動通信事業者らが連係または提携して発呼者端末１及び着呼者端末５の電話番号にかかわらず本発明のサービスを提供するようにすることもできる。
【００３２】
着呼者端末５は、発呼者端末１と同様に移動通信網４を介して通信事業者３に接続する携帯用移動通信端末であって、一般に、ＣＤＭＡ携帯電話、ＰＣＳ、ＰＤＡ、及び一般の有線電話、ＥＭＳ及びＭＭＳが可能な２．５Ｇフォン、３Ｇフォンなどが使用できる。
【００３３】
広告主サーバー９は、通信事業者３の呼び出し音を用いた広告サービスに加入した業者の本社に備えられたコンピュータであって、ＴＣＰ／ＩＰまたはＰＰＰ方式などにより通信事業者３とネットワークされており、広告メッセージ、広告関連データ、購買情報などの各種の情報を通信事業者３に伝送する。
【００３４】
図３は、本発明の第２の実施形態に係る呼び出し音を用いた広告サービスの提供システムの構成図である。図３に示すように、本発明の第２の実施形態に係る呼び出し音を用いた広告サービスの提供システムは、図２に示す発呼者端末１と、通信事業者３と、着呼者端末５、及び広告主サーバー９の他、広告運営代行社サーバー７を更に備えてなる。
【００３５】
発呼者端末１、着呼者端末５、及び広告主サーバー９の構成は、図２に示す構成と同一であるため、その説明を省略することにする。
【００３６】
通信事業者３は、発呼者端末１と着呼者端末５との間の通話を可能にする機能の他、発呼者が電話をかけた時に着呼者が電話に出るまでの間、広告運営代行社サーバー７から提供される広告メッセージ、広告関連データ及び購買情報を受信し発呼者端末１に伝送する機能を行う。通信事業者３は、前述したように、移動通信事業者または有線通信事業者であってもよく、移動通信事業者である場合、各移動通信事業者らが連係または提携して発呼者端末１及び着呼者端末５の電話番号にかかわらず本発明のサービスを提供するようにすることもできる。
【００３７】
広告運営代行社サーバー７は、本発明に係る呼び出し音を用いた広告提供方法を実施する広告運営代行社の本社、または必要に応じて通信事業者の本社または有線または無線データセンターに備えられているコンピュータであって、ネットワークを介して通信事業者３及び広告主サーバー９に接続されている。広告運営代行社サーバー７は、会員情報、広告メッセージ、広告関連データ、購買情報などを格納するデータベース２３を備えており、データベース２３についての詳細は後述することにする。
【００３８】
図４は、図３に示す広告運営代行社サーバー７の内部構成を示すブロック図である。図４に示すように、広告運営代行社サーバー７は、受信部１１と、会員管理部１３と、広告メッセージ抽出部１５と、広告関連データ抽出部１７と、購買情報抽出部１９と、購買処理部２０と、伝送部２１、及びデータベース２３とから構成されている。
【００３９】
受信部１１は、通信事業者３から発呼者端末１の通話接続要請信号及び通話終了信号を受信する。即ち、発呼者端末１が通話ボタンまたは終了ボタン若しくはその他の事業者がサービスのために指定したボタンを押せば、通話接続要請信号または通話終了信号が通信事業者３に伝送され、通信事業者３は、受信した通話接続要請信号または通話終了信号を広告運営代行社サーバー７に伝送する。
【００４０】
会員管理部１３は、本発明に係る呼び出し音を用いた広告サービスに加入した会員を登録及び格納し、通話接続要請信号の受信時、この信号から発呼者及び着呼者情報を抽出して発呼者または着呼者が会員であるか否かを確認し、会員情報を管理する。
【００４１】
広告メッセージ抽出部１５は、発呼者端末１に伝送すべき広告メッセージを抽出するところであって、本発明の実施例に基づいて時間帯別の広告メッセージの抽出、顧客別の広告メッセージの抽出または地域別の広告メッセージの抽出などの機能を行う。
【００４２】
広告関連データ抽出部１７は、広告関連データを抽出するところであって、受信部１１が通話終了信号を受信すれば、広告関連データ抽出部１７は、発呼者端末１に伝送すべき広告関連データを抽出する。ここで、広告関連データは、文字メッセージ、画像、写真、動画像、ファイルなどのそれぞれまたはこれらを組み合わせてなる各種のマルチメディアであればよい。
【００４３】
購買情報抽出部１９は、発呼者端末１に伝送すべき購買情報を抽出するところであって、発呼者端末１から購買情報要請信号を受信されれば、購買情報抽出部１９は、広告メッセージに関連する購買情報を抽出する。購買情報は、商品カタログデータ、見積もりデータなどを含む。
【００４４】
購買処理部２０は、発呼者端末から購買商品情報を含む購買要請信号を受信されれば、その信号に基づいて前記購買商品の購買処理を行うところである。購買処理部２０は、発呼者情報、商品情報を抽出し、該商品に相応する広告主サーバー９に伝送する。または、必要に応じて広告主と予め契約を結んで支払いなどの購買処理を直接行う。
【００４５】
伝送部２１は、会員管理部１３から会員確認信号を受信した後、広告メッセージ抽出部１５で抽出された広告メッセージを発呼者端末１に伝送し、発呼者と着呼者との間の通話が終了すれば、発呼者端末１に広告関連データを伝送する。また、伝送部２１は、発呼者端末１から購買情報要請信号を受信されれば、購買情報抽出部１９で抽出された広告メッセージに関連する購買情報を発呼者端末１に伝送する。
【００４６】
データベース２３については、図５乃至図７の説明において詳述することにする。
【００４７】
図５は、図４に示すデータベース２３の構造を概念的に示す図である。図５に示すように、データベース２３は、会員データベース２５と、広告主データベース２７と、広告関連データベース２９と、広告メッセージデータベース３１、及び購買情報データベース３３とから構成される。
【００４８】
会員データベース２５は、通信事業者または広告運営代行社サーバー７から提供する呼び出し音を用いた広告サービスに加入した端末ユーザーの情報を格納するところである。会員データベース２５には、その他にユーザーが選択した広告類型を格納してもよい。または、会員データベース２５には、ユーザーが端末を介してまたは広告運営代行社のウェッブサイト上で随時に指定する特定の広告主の広告などの情報を格納してもよい。会員データベース２５は、会員の加入したサービスの種類によって送信会員データベース２５−１と、受信会員データベース２５−３、及び送受信会員データベース２５−５とを含む。送信会員データベース２５−１は、加入者が送信すれば、加入者が通信事業者または広告運営代行社が任意に編成した広告メッセージまたは加入者自らが選択した特定の広告主の広告メッセージを受信することができるようにし、これにより広告受信料を支払うかまたはマイレージの提供、または品物代の割引などの恵沢を提供する方式の送信会員制を選択した会員の情報を登録及び格納するところである。受信会員データベース２５−３は、発呼者がサービス加入会員の端末を呼び出す場合に発呼者が広告メッセージを受信することができるようにし、これによりサービス加入会員に対し広告受信料を支払うかまたはマイレージの提供、または品物代の割引などの恵沢を提供する方式の受信会員制を選択したサービス加入会員の情報を登録及び格納するところである。送受信会員データベース２５−５は、送信会員制と受信会員制共に選択する方式として会員が発呼者になる場合は会員が、会員が着呼者になる場合は発呼者が広告メッセージを聴取するようにする送受信会員制を選択した会員の情報を登録及び格納するところである。
【００４９】
広告主データベース２７は、広告運営代行社サーバー７を介して呼び出し音を用いた広告サービスを提供したい広告主情報を格納するところであって、これについては、図６において詳述する。
【００５０】
広告関連データベース２９は、受信部１１が通信事業者３から通話終了信号を受信すれば発呼者端末１に伝送すべき広告関連データを格納するところであって、上述したように、文字データ、写真、画像、動画像などのマルチメディア情報を格納している。
【００５１】
広告メッセージデータベース３１は、発呼者が電話をかけて着呼者が電話に出るまでの間に提供する広告メッセージを格納するところである。
【００５２】
購買情報データベース３３は、発呼者端末１から購買情報要請信号を受信された場合に発呼者端末１に伝送すべき購買情報を格納するところである。
【００５３】
図６は、図５に示す広告主データベース２７の構造を概念的に示す図である。図６に示すように、広告主データベース２７には、時間帯２７−１、広告主２７−３、及び広告商品２７−５に関する情報を格納する。また、その他に地域別の広告主の分類情報を格納してもよい。時間帯２７−１には、各広告主の広告が提供される時間が格納される。即ち、図６に示すように、広告提供時間は一時間毎に広告主が変わるようになっている。しかし、本発明はこれに限られることではなく、３０分、２時間、３時間などと任意に指定してもよい。また、各時間帯の割り当ては、広告主毎に取り扱う品物が異なり、所望する時間帯が異なり得るため、後述する競売過程により時間帯の割り当てが行われる。これにより同じ時間の間広告が提供されても当該時間における各会員の通話量または広告主によって利用料金が異なることがある。
【００５４】
広告主２７−３には、競売過程により各時間帯別に本発明のサービスを提供することに選定された広告主を格納する。図６では、各時間帯別に全て異なる広告主が振り分けられることを想定したが、一人の広告主が複数の時間帯を割り当てられることができることはいうまでもない。
【００５５】
広告商品２７−５には、時間帯を割り当てられた広告主が扱っていて広告を所望する商品を格納する。例えば、Ａ社の広告商品としては靴を格納し、Ｂ社の広告商品としては音盤を格納することができる。図６では、広告主毎に１つの広告商品を格納してあるが、これに限られることではなく、複数の広告商品を格納してから端末加入者の情報または加入者が所望する広告類型に応じて好適な広告商品を抽出し、これに関する広告メッセージを伝送するようにすることも可能である。または、当該時間に複数の商品の広告主が待っていて、会員の特性（年齢、地域、所得分布、性別、宗教など）に応じて適切の広告メッセージが伝送されるようにすることも可能である。
【００５６】
図７は、図５に示す送信会員データベース２５−１の構造を概念的に示す図である。受信会員データベース２５−３及び送受信会員データベース２５−５の構造も送信会員データベース２５−１の構造と同一であるため、送信会員データベース２５−１についてのみ説明することにする。図７に示すように、送信会員データベース２５−１には、送信会員名３５、電話番号３６、及び選択広告類型２７などを格納する。送信会員名３５は、送信会員制を選択した会員の名前データを格納するところであって、図７ではあいうえおの順に格納してある。電話番号３６は、送信会員の電話番号を格納するところである。図７では、全ての送信会員が同じ通信事業者の加入者とされているが、これに限られることではなく、上述したように、各通信事業者が連係または提携する場合、それぞれ異なる通信事業者の加入者であってもよい。即ち、電話番号において前の番号が”０１１”または”０１７”でない”０１６”、”０１８”または”０１９”若しくは有線電話の局番であってもよい。
【００５７】
選択広告類型３７は、送信会員が会員加入をする時に選択した自分が聴取したい広告類型に関する情報を格納するところである。これは、発呼者端末に対し発呼者の所望する広告類型を提供する実施例の場合に必要とされる。従って、このような発呼者の所望する広告類型を提供せずに、時間帯別に画一的な広告メッセージを提供する実施例の場合は不要である。
【００５８】
図８は、図１に示す通信事業者の構成を示すブロック図である。図８に示すように、通信事業者３は、ＢＳ４１、５３と、ＭＳＣ４３、５１と、交換機サーバー４５と、ＳＭＳＣ４７と、ＰＣＦ５５、６３、及びＰＤＳＮ５７、６１とから構成される。ＢＳ４１、５３は、発呼者端末１または着呼者端末５と無線通信網４を介してデータを送受信する基地局であって、ＢＴＳ（図示せず）及びＢＳＣ（図示せず）を含む。ＢＴＳ（Ｂａｓｅ  Ｓｔａｔｉｏｎ  Ｔｒａｎｓｃｅｉｖｅｒ  Ｓｙｓｔｅｍ；基地局システム）は、セル内に存在する端末１、５（ＭＳ；Ｍｏｂｉｌｅ  Ｓｔａｔｉｏｎ）と無線で通信して移動通信サービスを提供する装置である。ＢＴＳを介して端末１、５と広告運営代行社サーバー７との間の通話要請信号、通話終了信号、広告メッセージ、広告関連データ及び購買情報などのデータが送受信される。このためにＢＴＳは、無線チャンネルの符号化及び復号化を行って端末１、５と無線信号を送受信する。
【００５９】
また、より良質の通話及びＳＭＳサービスをより経済的に提供するために送受信信号強度の調節、上向きリンク品質の測定、空間ダイバシティ機能、無線資源管理及び自己メンテナンス機能を行う。ＢＳＣ（Ｂａｓｅ  Ｓｔａｔｉｏｎ  Ｃｏｎｔｒｏｌｌｅｒ；基地局制御機）は、複数のＢＴＳと整合を行い、セル同士のハンドオフ処理、呼制御、基地局の運用とメンテナンス制御などの機能を行う。
【００６０】
ＭＳＣ（Ｍｏｂｉｌｅ  Ｓｔａｔｉｏｎ  Ｃｏｎｔｒｏｌｌｅｒ）４３、５１は、移動通信網とＰＳＴＮ、ＩＳＤＮなどのような固定網との間の連動、または移動通信網とＰＬＭＮ、インターネット網、ＰＳＰＤＮのような他の事業者の網との間の連動機能を提供するものであって、本実施例では、ＢＳ４１、５３と整合するための整合処理を行い、ＢＳ４１、５３から送受信された通話要請信号、通話終了信号、広告メッセージ、広告関連データ、及び購買情報などのデータを広告運営代行社サーバー７に送受信する機能を行う。
【００６１】
ＭＳＣ４３、５１は、交換機能を行うために加入者情報を格納しているＨＬＲ（Ｈｏｍｅ  Ｌｏｃａｔｉｏｎ  Ｒｅｇｉｓｔｅｒ；図示せず）及びＶＬＲ（Ｖｉｓｉｔｏｒ  Ｌｏｃａｔｉｏｎ  Ｒｅｇｉｓｔｅｒ；図示せず）と情報を交換し、加入者端末１０と信号及び音声データを送受信するためにＢＳ４１、５３と整合する。
【００６２】
交換機サーバー４５は、本発明に係る第１の実施形態に基づき、通信事業者３自らが呼出し音を用いた広告サービス方法を提供する場合における広告サービスを提供するためのサーバーであって、図４に示す広告運営代行社サーバー７とほぼ同じ構成及び機能を有するようになる。
【００６３】
ＳＭＳＣ（Ｓｈｏｒｔ  Ｍｅｓｓａｇｅ  Ｓｅｒｖｉｃｅ  Ｃｅｎｔｅｒ）４７は、文字メッセージサービスを提供するための装置であって、発呼者と着呼者との間の通話が終了した後、通信事業者３自らがサービスを提供する場合は交換機サーバー４５から伝送された文字メッセージを、広告運営代行社サーバー７によりサービスを提供する場合は広告運営代行社サーバー７から伝送された文字メッセージをＭＳＣ４３、５１及びＢＳ４１、５３を介して発呼者端末１に伝送する役割を果たす。
【００６４】
ＰＣＦ５５、６３は、伝送されるデータパケットを制御するためのものであって、発呼者と着呼者との間の通話が終了した後、通信事業者３自らがサービスを提供する場合は交換機サーバー４５から伝送された広告に関連する動画像、ファイルなどのマルチメディアデータを、広告運営代行社サーバー７によりサービスを提供する場合は広告運営代行社サーバー７から伝送された広告に関連する動画像、ファイルなどのマルチメディアデータをＭＳＣ４３、５１及びＢＳ４１、５３を介して発呼者端末１に伝送する役割を果たす。
【００６５】
ＰＳＤＮ（Ｐａｃｋｅｔ  Ｄａｔａ  Ｓｗｉｔｃｈｉｎｇ  Ｎｏｄｅ）５７、６１は、ＢＳ４１、５３とデータ網５９との間のデータパケットの伝送のためのインターフェイスを提供するためのものである。
【００６６】
図９は、図１に示す通信事業者３がＭＭＳを提供する場合における通信事業者３の概略的な構成を示すブロック図である。
【００６７】
図９に示すように、ＭＭＳを提供する通信事業者３は、ＷＡＰゲートウェイ７３と、ＭＭＳリレー７５、及びＭＭＳサーバー７７とから構成されている。
【００６８】
ＷＡＰゲートウェイ７３は、互いに異なる構造を有する網を接続するためのゲートウェイの一種であって、通信網７１を介して発呼者端末１及び着呼者端末５に接続され、ＭＭＳリレー７５を介してＭＭＳサーバー７７に接続される。ＷＡＰゲートウェイ７３は、ＣＤＭＡ携帯端末などの無線装置をインターネットなどに接続できるようにするモバイルコンピュータ用アーキテクチャであるＷＡＰ（Ｗｉｒｅｌｅｓｓ  Ａｐｐｌｉｃａｔｉｏｎ  Ｐｒｏｔｏｃｏｌ）を用いる。
【００６９】
ＭＭＳリレー７５は、ＭＭＳメッセージの符号化及び復号化機能、フォーマット整合機能などを行う。
【００７０】
ＭＭＳサーバー７７は、アドレスのフォーマット及びメッセージのフォーマットをトランスコード（例えば、ＷＭＬフォーマットをＨＴＭＬに変換するなど）する機能、ＭＭＳメッセージの送受信機能などを行い、ＭＭＳ加入者の加入者情報及び送受信関連情報を格納するＭＭＳデータベースを備える。
【００７１】
前記のような通信事業者３の構成は、従来のＳＭＳ以外のＥＭＳ（Ｅｎｈａｎｃｅｄ  Ｍｅｓｓａｇｉｎｇ  Ｓｅｒｖｉｃｅ）、ＭＭＳなどを提供するためのものである。
【００７２】
図１０は、端末加入者が広告運営代行社サーバー７に接続して会員加入を行う過程を示すフローチャートである。図１０に示すように、まず、端末加入者が広告運営代行社サーバー７に接続する（Ｓ１００）。端末加入者がインターネットまたは端末の無線インターネット機能などを用いて広告運営代行社サーバー７に接続する。端末加入者は会員加入を申請し会員として加入する（Ｓ１１０）。このとき、加入するサービスの類型によって送信会員、受信会員及び送受信会員として加入することができる。
【００７３】
会員の類型についてもう一度説明すれば、送信会員は、該送信会員である加入者が相手に電話をかける時に加入者に対し広告メッセージが流れ、これにより会員に対し広告受信料を支払うかまたはマイレージの提供、または品物代の割引などの恵沢を提供する方式の会員である。加入者が送信会員として加入すれば、加入者の情報が送信会員データベース２５−１に格納される（Ｓ１１０−１）。
【００７４】
受信会員は、相手が受信会員である加入者に電話をかける時に相手に対し広告メッセージが流れ、これにより会員に対し広告受信料を支払うかまたはマイレージの提供、または品物代の割引などの恵沢を提供する方式の会員である。加入者が受信会員として加入すれば、加入者の情報が受信会員データベース２５−３に格納される（Ｓ１１０−２）。
【００７５】
送受信会員は、前記送信会員及び受信会員のサービスのいずれもの提供を受けることができる会員であって、加入者が送受信会員として加入すれば、加入者の情報が送受信会員データベース２５−５に格納される（Ｓ１１０−３）。
【００７６】
加入者は、会員登録後、所望する広告類型を選択して広告運営代行社サーバー７に伝送する（Ｓ１２０）。即ち、加入者が電話をかけるとき、自分が聞きたい広告の類型を選択するようにするステップである。
【００７７】
広告運営代行社サーバー７は、受信した広告類型を会員データベース２５に格納する（Ｓ１３０）。
【００７８】
広告類型の伝送及び格納ステップは、広告運営代行社サーバー７が加入者らが選択した広告類型に該当する広告メッセージを伝送するサービスを提供するに当たって必要なステップであって、仮に、広告運営代行社サーバー７が一律の広告メッセージを提供する場合は、前記ステップなどを行う必要がない。
【００７９】
会員は随時に受信したい特定の広告主の広告を端末を介して、または通信事業者または広告運営代行社のウェッブサイト上で申請または訂正することもできる。
【００８０】
また、加入者は、通信事業者のオンラインサイトまたはオフライン代理店で会員として加入できることはいうまでもない。このとき、別途に広告運営代行社に対し広告サービス業務を委託する契約を結ぶ場合、会員データ中から必要な情報を共有するようにすることができる。
【００８１】
図１１は、広告主が広告運営代行社サーバー７に接続して会員加入を行う過程を示すフローチャートである。
【００８２】
広告主サーバー９は、広告運営代行社サーバー７に接続要請信号を伝送し（Ｓ２００）、接続承認信号を受信して広告運営代行社サーバー７に接続する（Ｓ２１０）。
【００８３】
接続が行われれば、広告主サーバー９は、広告運営代行社サーバー７に会員加入要請信号を伝送し（Ｓ２２０）、会員加入承認信号を受信して会員として登録する（Ｓ２１０）。
【００８４】
会員として登録されれば、広告主サーバー９は、広告運営代行社サーバー７に所望する広告時間帯情報を伝送すれば（Ｓ２４０）、広告運営代行社サーバー７は、受信した広告  主情報及び広告時間帯情報を広告主データベース２７に格納する（Ｓ２５０）。
【００８５】
最後に、広告主サーバー９が広告メッセージ及び伝送すべき文字データなどの広告関連データを広告運営代行社サーバー７に伝送すれば（Ｓ２６０）、広告運営代行社サーバー７は、広告メッセージは広告メッセージデータベース３１に格納し、広告関連データは広告関連データベース２９に格納する（Ｓ２７０）。
【００８６】
図１２は、各時間帯別に呼び出し音を用いた広告を伝送する広告主を競売を通じて選定する過程を示すフローチャートである。
【００８７】
広告運営代行社サーバー７は、広告主サーバー９から所望する時間帯情報及び入札価格情報を受信する（Ｓ３００）。広告運営代行社サーバーには、各時間帯別の最低入札価格の基本情報が格納されており、広告主が会員として加入すると途端にこの情報が広告主に伝送され、広告主が入札価格を決めるに際する基本資料として活用されるようにする。広告主サーバー９から複数の時間帯及びこれに相応するそれぞれの入札価格情報を受信することもできる。即ち、広告主は、複数の時間帯を選択し、この時間帯に適すると思われる入札価格を提示することができる。
【００８８】
広告運営代行社サーバー７は、時間帯別の広告主情報及び入札価格情報を分離し格納する（Ｓ３１０）。広告運営代行社サーバー７は、各時間帯別に最高入札価格を提示した広告主情報を抽出し、各時間帯別の落札者として選定する（Ｓ３２０）。広告運営代行社サーバー７は、選定された広告主サーバー９に落札情報を伝送し落札を通報する（Ｓ３３０）。広告運営代行社サーバー７は、選定された広告主サーバー９から伝送を所望する広告メッセージ及び広告関連データを受信し（Ｓ３４０）、各時間帯別に分類し格納する（Ｓ３５０）。
【００８９】
図１２に示すように、競売により時間帯別の広告メッセージを広告主に割り当てることは一実施例であり、本発明の他の実施例によれば、図１１に示すように、別途の競売過程を設けることなく予め指定された広告価格に基づいて広告主の所望する時間帯を割り当てるか、または加入者の所望する広告類型を時間帯にかかわらず提供することも可能であることはいうまでもない。
【００９０】
以下、図１３及び図１４に基づき、呼び出し音を用いた広告サービスを提供する方法について概略的に説明した後、様々な実施例に基づいて詳述することにする。
【００９１】
図１３は、本発明の第１の実施形態に係る通信事業者３が呼び出し音を用いた広告サービスを提供する過程を示すフローチャートである。なお、技術の発展に伴い文字の他、マルチメディアメッセージ情報を提供することは当然のことであり、ここでは、それに関する説明は省略することにする。
【００９２】
通信事業者３は、発呼者端末１から通話要請信号を受信し（Ｓ４００）、これを着呼者端末５に伝送した後（Ｓ４０５）、通話要請信号に含まれている発呼者電話番号及び着呼者電話番号を抽出し（Ｓ４１０）、会員確認過程を行う（Ｓ４１５）。
【００９３】
会員として確認された場合、通信事業者３は広告メッセージを抽出し（Ｓ４２０）、発呼者端末１に伝送する（Ｓ４２５）。着呼者端末５から通話承認信号を受信されれば（Ｓ４３０）、通信事業者３は、これを発呼者端末１に伝送し（Ｓ４３５）、通話を開始させ広告メッセージの伝送を止める（Ｓ４４０）。
【００９４】
通話が終了すれば、通信事業者３は該当広告文字メッセージを抽出し（Ｓ４４５）、発呼者端末１に伝送する（Ｓ４５０）。受信した広告文字メッセージは、発呼者端末１に時間帯別に順次にまとめられ格納される。
【００９５】
広告文字メッセージを受信した発呼者端末１から購買情報要請信号を受信されれば（Ｓ４５５）、通信事業者３は購買情報を抽出し（Ｓ４６０）、これを発呼者端末１に伝送する（Ｓ４６５）。
【００９６】
購買情報を受信した発呼者端末１から購買要請信号を受信されれば（Ｓ４７０）、通信事業者３は購買処理を行う（Ｓ４７５）。
【００９７】
図１４は、本発明の第２の実施形態に係る広告運営代行社サーバー７が呼び出し音を用いた広告サービスを提供する過程を示すフローチャートである。通信事業者３は、発呼者端末１から通話要請信号を受信されれば（Ｓ５００）、これを着呼者端末５及び広告運営代行社サーバー７に伝送する（Ｓ５０５、Ｓ５１０）。
【００９８】
広告運営代行社サーバー７は、通話要請信号に含まれている発呼者電話番号及び着呼者電話番号を抽出し（Ｓ５１５）、会員確認過程を行う（Ｓ５２０）。
【００９９】
会員として確認された場合、広告運営代行社サーバー７は広告メッセージを抽出し（Ｓ５２５）、通信事業者３を介して発呼者端末１に伝送する（Ｓ５３０、Ｓ５３５）。
【０１００】
通信事業者３は、着呼者端末５から通話承認信号を受信されれば（Ｓ５４０）、通信事業者３は、これを発呼者端末１及び広告運営代行社サーバー７に伝送し（Ｓ５４５、Ｓ５５０）、通話を開始させ広告メッセージの伝送を止める（Ｓ５５５）。
【０１０１】
通信事業者３から通話終了信号を受信されれば（Ｓ５６０）、広告運営代行社サーバー７は該当広告文字メッセージを抽出し（Ｓ５６５）、通信事業者３を介して発呼者端末１に伝送する（Ｓ５７０、Ｓ５７５）。伝送された広告文字メッセージは、発呼者端末内の  広告受信箱に時間帯別に順次に格納される。
【０１０２】
広告文字メッセージを受信した発呼者端末１から購買情報要請信号を通信事業者３を介して受信されれば（Ｓ５８０、Ｓ５８５）、広告運営代行社サーバー７は購買情報を抽出し（Ｓ５９０）、これを通信事業者３を介して発呼者端末１に伝送する（Ｓ５９５、Ｓ６００）。
【０１０３】
購買情報を受信した発呼者端末１から購買要請信号を通信事業者３を介して受信されれば（Ｓ６０５、Ｓ６１０）、広告運営代行社サーバー７は購買処理を行う（Ｓ６１５）。
【実施例】
【０１０４】
以下、広告運営代行社サーバー７においてサービスを提供する各実施例について説明することにする。説明の便宜のために通信事業者３が行うステップは省略することにする。以下の各実施例により本発明に係る呼び出し音を用いた広告サービスの提供方法が明らかに理解できるだろう。
【０１０５】
に理解できるだろう。
【０１０６】
＜第１の実施例＞（送信会員の場合）
端末加入者は、広告運営代行社サーバー７に接続し送信会員として登録を行えば、広告運営代行社サーバー７は、端末加入者を送信会員として登録する。会員として登録した発呼者が端末の通話ボタンを押せば、通話要請信号が通信事業者に伝送される。通信事業者は、発呼者が広告運営代行社の会員であるか否かを把握し、会員であれば広告運営代行社サーバー７に通話要請信号が伝送される。
【０１０７】
広告運営代行社サーバー７は、通話要請信号に含まれている発呼者電話番号を抽出し、これが会員データベース２５に格納されているか否かを検索することで発呼者が送信会員であるか否かを確認する。発呼者が送信会員として確認されれば、広告運営代行社サーバー７は、現時刻情報を抽出し現時間帯に該当する広告主の広告メッセージを抽出して発呼者端末１に伝送する。広告メッセージは相手が電話に出るまでの間提供される。広告メッセージの受信により発呼者は広告受信料をもらうか、マイレージの提供または品物代の割引などの恵沢を受けるようになる。
【０１０８】
発呼者と着呼者との間の通話が終了すれば、広告運営代行社サーバー７は、相手が電話に出るまでの間提供された広告に関連する広告文字メッセージを抽出し発呼者端末１に伝送する。
【０１０９】
発呼者が広告文字メッセージを受信して即時確認するか、または格納しておいて後で確認し、購買情報を所望する場合は、発呼者端末１の画面１００上の通話１０１または指定されたボタンを押せば、広告運営代行社サーバー７から購買情報を提供され、発呼者は購買情報を確認した後、購買要請を行うことができる。
【０１１０】
発呼者端末１から購買要請信号を受信されれば、広告運営代行社サーバー７が購買が行われるように支払いなどを直接処理するか、または発呼者情報及び購買要請信号を広告主サーバー９に伝送し購買が行われるようにする。
【０１１１】
購買が行われれば、発呼者に対してはマイレージポイントが累積され、広告運営代行社サーバー７は、累積されたマイレージポイント情報を発呼者端末１に伝送する。
【０１１２】
＜第２の実施例＞（受信会員の場合）
端末加入者は、広告運営代行社サーバー７に接続し受信会員として登録を行えば、広告運営代行社サーバー７は、端末加入者を受信会員として登録する。
【０１１３】
発呼者が会員として登録した加入者端末（着呼者端末）の電話番号を入力し通話ボタンを押せば、通話要請信号が通信事業者を介して広告運営代行社サーバー７に伝送される。
【０１１４】
広告運営代行社サーバー７は、通話要請信号に含まれている着呼者電話番号を抽出し、これが会員データベース２５に格納されているか否かを検索することで着呼者が受信会員であるか否かを確認する。
【０１１５】
着呼者が受信会員として確認されれば、広告運営代行社サーバー７は、現時刻情報を抽出し現時間帯に該当する広告主の広告メッセージを抽出して着呼者端末５に伝送する。広告メッセージは相手が電話に出るまでの間提供され、これにより着呼者は広告受信料をもらうか、マイレージの提供または品物代の割引などの恵沢を受けるようになる。
【０１１６】
以下の過程は第１の実施例と同一であるため、その説明を省略する。
【０１１７】
＜第３の実施例＞（送受信会員の場合）
端末加入者が広告運営代行社サーバー７に接続し送受信会員として登録を行えば、広告運営代行社サーバー７は、端末加入者を送受信会員として登録する。
【０１１８】
送受信会員である発呼者が電話をかけるか、または発呼者が送受信会員である着呼者端末の電話番号を入力し通話ボタンを押せば、通話要請信号が広告運営代行社サーバー７に伝送される。
【０１１９】
広告運営代行社サーバー７は、通話要請信号に含まれている発呼者電話番号及び着呼者電話番号を抽出し、これらが会員データベース２５に格納されているか否かを検索することで発呼者または着呼者が送受信会員であるか否かを確認する。
【０１２０】
発呼者または着呼者が送受信会員として確認されれば、広告運営代行社サーバー７は、現時刻情報を抽出し現時間帯に該当する広告主の広告メッセージを抽出して発呼者端末１に伝送する。広告メッセージは相手が電話に出るまでの間提供され、これにより送受信会員である発呼者または着呼者は広告受信料をもらうか、マイレージの提供または品物代の割引などの恵沢を受けるようになる。
【０１２１】
以下の過程は第１の実施例と同一であるため、その説明を省略する。
【０１２２】
仮に、発呼者及び着呼者共に送受信会員である場合は、発呼者が広告メッセージを受信し、発呼者及び着呼者共に広告受信料をもらうか、マイレージの提供または品物代の割引などの恵沢を受けるようになる。
【０１２３】
仮に、会員が選択した広告類型の広告メッセージを伝送するサービスを提供する実施例において、発呼者及び着呼者共に送受信会員である場合は、予め定められた約款に基づいて処理することが可能である。例えば、かかる場合は、発呼者を優先するとか、予め設定された別の広告メッセージを伝送するようにするといった様々な変形が可能である。
【０１２４】
仮に、送信会員である発呼者と受信会員である着呼者との間などの場合でも、前記の方法が適用され得る。
【０１２５】
＜第４の実施例＞（音盤などの場合）
本実施例は、広告メッセージとして提供される広告が音盤販売のための音楽である場合に関する。発呼者が通話ボタンを押せば、広告運営代行社サーバー７は、着呼者が電話に出るまでの間予め用意した広告用音楽を発呼者端末１に伝送する。このとき、音楽と共に該音楽に関する情報、例えば、該音楽を歌った歌手、作曲家、演奏家などの情報を液晶画面に共に表示するか、または広告用音楽にナレーションとしてダビング処理し提供することもできる。
【０１２６】
発呼者と着呼者との間の通話が終了すれば、発呼者端末に広告文字メッセージにて電話がつながるまでの間聞いた広告に関する付加情報を伝送する。
【０１２７】
また、発呼者と着呼者との間の通話が終了し、発呼者が電話がつながるまでの間聞いた音楽が気に入って購買したい場合は、発呼者端末１の画面１００から通話１００または指定されたボタンを選択する。そうすると、広告運営代行社サーバー７は、当該音楽入りの音盤情報を発呼者端末１に伝送する。前記音盤情報には、音盤ジャケット、製作社、目録リスト、購入価格などの情報を含み得る。勿論、発呼者は、予め広告受信箱に格納してある情報を何時でも再度読み出し、この過程を行うことができる。
【０１２８】
発呼者が音盤情報を目視し購買要請を行えば、広告運営代行社サーバー７は、直接購買過程を処理するか、または当該広告主サーバー９に発呼者情報及び音盤情報を伝送し購買が行われるようにする。
【０１２９】
＜第５の実施例＞（顧客別の広告類型の伝送の場合）
端末加入者は、広告運営代行社サーバー７に接続し会員として登録を行うと共に、所望する広告類型を伝送すれば、広告運営代行社サーバー７は、加入者情報及び広告類型を会員データベース２５に格納する。例えば、図７中のナ・ヨンヒ（人名）が”衣類”を所望する広告類型として選択すれば、図７に示すように”ナ・ヨンヒ”及び”衣類”が送信会員データベース２５−１に格納される。
【０１３０】
ナ・ヨンヒが友達に電話をかければ、広告運営代行社サーバー７は、会員確認過程を経た後、会員データベース２５からナ・ヨンヒの所望する広告類型である”衣類”に相応する広告商品を備えている広告主の”Ｄ社”（図６参照）の広告メッセージを抽出し発呼者端末１に伝送する。
【０１３１】
マイレージの提供または品物代の割引の恵沢を与える課程などのその以降の過程は、前記実施例と同一であるため、その説明を省略する。
【０１３２】
＜第６の実施例＞（地域別の広告の伝送の場合）
広告運営代行社サーバー７は、広告主の会員加入に当たって、広告主を地域別に募集する。例えば、県単位で募集するか、市単位、郡単位で募集することが可能である。
【０１３３】
また、地域別に広告主を募集した後、更に地域別の広告主を時間帯別に振り分けることも可能である。
【０１３４】
また、広告運営時間の２４時間中の一部の時間帯を地域広告時間帯として定め、地域広告を募集して運行することもでき、仮に、この時間帯に流す地域広告が募集されない場合は、予め用意した広告を編成し流すことも可能である。
【０１３５】
広告運営代行社サーバー７は、例えば、当該地域の宿泊業者または特産物業者、若しくは飲食店などの地域の広告主を会員として加入させた後、伝送すべき広告メッセージ、広告関連データ、購買データなどを受信し格納する。このとき、上述したように、広告主の広告を所望する時間帯情報を受信し格納することもできる。
【０１３６】
発呼者が電話をかければ、広告運営代行社サーバー７は発呼者の位置を把握し、現在地に該当する地域広告主の広告メッセージを発呼者端末１に伝送する。また、このとき、該当時間帯の地域広告主の広告メッセージを発呼者端末１に伝送することも可能である。
【０１３７】
その以降の過程は、前記実施例と同一であるため、その説明を省略する。
【０１３８】
図１５は、通話が終了した後に発呼者端末１の画面１００に広告文字メッセージが表示されることを示す図である。勿論、技術の発展に伴い、文字の他、画像または写真、或いは動画像またはファイルなどを更に加えて表示できることは上述した通りである。
【０１３９】
図１５に示すように、発呼者と着呼者との間の通話が終了した後、広告運営代行社サーバー７が通話がつながるまでの間発呼者が聞いた広告に関する文字データを発呼者端末１に伝送すれば、発呼者端末１に図１５に示すような文字メッセージが表示される。
【０１４０】
発呼者が文字メッセージを確認した後、広告商品に関する購買情報を受けたい場合は、画面１００の左下側の通話１０１または指定されたボタンを選択すれば、広告運営代行社サーバー７または広告主サーバー９から購買情報を伝送されるようになる。
【０１４１】
しかし、本発明はこれに限られることではなく、発呼者が通話１０１ボタンを選択すれば、直接広告運営代行社サーバー７または広告主サーバー９に接続されるようにすることも可能である。
【０１４２】
仮に、発呼者が購買情報を所望していないが、該広告情報を保存しておきたい場合は、画面１００の右下側の保存１０３または別の指定されたボタンを選択すれば、発呼者端末１内に文字メッセージが格納される。
【０１４３】
勿論、別に保存ボタンを押さなくても端末の特性によっては広告受信箱が設けられており、これに自動で保存できるようにすることが可能であることは上述した通りである。
【０１４４】
図１６は、発呼者が購買情報を要請した場合、発呼者端末１の画面１００に伝送された購買情報が表示されることを示す図である。
【０１４５】
図１５において発呼者が通話１０１ボタンを選択すれば、図１６に示すような画面１００が表示される。
【０１４６】
図１６に示すように、発呼者端末１の画面１００には、広告した商品に関する目録が表示される。仮に、発呼者が商品の購買を所望すれば、目録中から購買を所望する項目１１０を選択すればよい。そうすると、購買要請データが広告運営代行社サーバー７に伝送され、広告運営代行社サーバー７は、選択した項目に対する購買処理を行う。
【０１４７】
図１６においては、商品目録を表示しているが、その他、カタログ、見積書などが表示されるようにすることも可能である。これは一例であるに過ぎなく、様々なユーザーインターフェイスが考えられることはいうまでもない。
【０１４８】
仮に、本実施例では、商品広告を用いた呼び出し音サービスに限定して例示し説明したが、本発明は、これに限られることではなく、公演の案内、文化行事の案内、各種の広報、国政の案内などの各種の情報を呼び出し音サービスを通じて提供することにも適用可能であることはいうまでもない。
【０１４９】
また、本実施例では、広告メッセージを伝送した後、通話終了時に文字メッセージなどを伝送するようにしたが、本発明はこれに限られることではなく、広告メッセージの伝送時に画像、写真、動画像、ファイルなどの文字メッセージを同時に伝送することも可能であることはいうまでもない。
【０１５０】
更に、本発明では、通信事業者または広告運営代行社が呼び出し音を用いた広告サービスを提供するようにしたが、その他、今後の無線インターネット網の開放計画に伴い、移動通信者から網またはゲートウェイを借りて事業を営む事業者が本発明に係るサービスを提供するか、または網またはゲートウェイを借りて事業を営む事業者が広告運営代行社と契約を結んで、本発明に係るサービスの提供を行うことも可能である。
【０１５１】
以上、本発明を前述した好適な実施例に基づいて説明したが、本発明は、これらの実施例に限られることではなく、発明の要旨と範囲を逸脱することなく種々の修正や変更を加えることが可能である。従って、本発明の特許請求の範囲は、本発明の要旨に属する同修正や変形を含むことが自明である。
【図面の簡単な説明】
【０１５２】
【図１】従来の呼び出し音を用いた広告サービス方法が行われる過程を示すフローチャートである。
【図２】本発明の第１の実施形態に係る呼び出し音を用いた広告サービスの提供システムの構成図である。
【図３】本発明の第２の実施形態に係る呼び出し音を用いた広告サービスの提供システムの構成図である。
【図４】図３中の広告運営代行社サーバーの内部構成を示すブロック図である。
【図５】図４中のデータベースの構造を概念的に示す図である。
【図６】図５中の広告主のデータベースの構造を概念的に示す図である。
【図７】図５中の送信会員のデータベースの構造を概念的に示す図である。
【図８】図１中の通信事業者の構成を示すブロック図である。
【図９】図１中の通信事業者がＭＭＳを提供する場合における通信事業者の構成を示すブロック図である。
【図１０】端末加入者が広告運営代行社サーバーに接続して会員加入を行う過程を示すフローチャートである。
【図１１】広告主が広告運営代行社サーバーに接続して会員加入を行う過程を示すフローチャートである。
【図１２】各時間帯別に呼び出し音を用いた広告を伝送する広告主を競売を通じて選定する過程を示すフローチャートである。
【図１３】本発明の第１の実施形態に係る通信事業者が呼び出し音を用いた広告サービスを提供する過程を示すフローチャートである。
【図１４】本発明の第２の実施形態に係る広告運営代行社サーバーが呼び出し音を用いた広告サービスを提供する過程を示すフローチャートである。
【図１５】通話が終了した後に発呼者端末の画面に広告文字メッセージが表示されることを示す図である。
【図１６】発呼者が購買情報を要請した場合、発呼者端末の画面に伝送された購買情報が表示されることを示す図である。
【符号の説明】
【０１５３】
１    発呼者端末
３    通信事業者
４    移動通信網
５    着呼者端末
７    広告運営代行社サーバー
９    広告主サーバー
１１    受信部
１３    会員管理部
１５    広告メッセージ抽出部
１７    広告関連データ抽出部
１９    購買情報抽出部
２０    購買処理部
２１    伝送部
２３    データベース
【図１】
2006510316.tif 000003
【図２】
2006510316.tif 000004
【図３】
2006510316.tif 000005
【図４】
2006510316.tif 000006
【図５】
2006510316.tif 000007
【図６】
2006510316.tif 000008
【図７】
2006510316.tif 000009
【図８】
2006510316.tif 000010
【図９】
2006510316.tif 000011
【図１０】
2006510316.tif 000012
【図１１】
2006510316.tif 000013
【図１２】
2006510316.tif 000014
【図１３】
2006510316.tif 000015
【図１４】
2006510316.tif 000016
【図１５】
2006510316.tif 000017
【図１６】
2006510316.tif 000018
【国際調査報告】
2006510316.tif 000019
2006510316.tif 000020